(57)【要約】      （修正有）【課題】  従来の手で扱う指圧器具に、温熱による健康効果を加えた器具を、安価な費用で利用者に提供できる。【解決する手段】大量流通の空き容器のキャップに穴を明けて、穴の中に感熱体と、液漏れ止めパッキンを着けた、温熱指圧器。容器としてドリング剤の空きビン５００ＣＣ位のネジ付きのガラス容器使用済みのペットボトルの、３００ＣＣ〜５００ＣＣ位の容器等を使用する。器具を使用する際は、指圧する箇所に布を当て、布の厚さで感知温度を調整する。【選択図】    図３
2005211638.tif 000002
【特許請求の範囲】
【請求項１】
本器具の形状は、赤ちゃんの哺乳ビンに、吸口を付けた形状に似ています。    ネジ付き容器のキャップの平面部分を尖らせて、先端が球面の中空のキャップを作り、お湯を入れた容器をネジキャップで閉めると、キャップの先端もお湯の温度になる。  お湯の温度になった先端を指圧に利用したり、低温お灸の温熱効果に利用する。  お湯の変わりに冷水や砕氷を入れて、冷やすと気持ちの良い所に当てて、指圧と冷感効果を上げる事もできる。
【請求項２】
キャップの先端部分だけを作り、キャップの平面部分に丸穴を明けた中に、キャップの先端を入れて、漏水止めパッキンをビンの口に当て閉めると、「請求項１」と同様の利用効果が生れる。
【請求項３】
上記のキャップ上部の突起の部分を、空洞のない金属の棒状にして、尖端の突起と同体の棒をビンの底近くまで伸ばして、お湯の温熱を突起の尖端まで伝導させて、温熱指圧をする。
【請求項４】
ネジ付きの耐熱容器の中に保温剤を入れて、その中に、キャップに固定した金属棒を入れてキャップで容器と固定させる。    金属棒の入った容器を、お湯に浸すか煮沸して、温熱指圧を行なう。
【請求項５】
上記の金属棒の容器の内部に入る部分に、電気による発熱体と発熱体の温度を一定に保つセンサーと、過熱防止ヒューズを取り付けて、その周囲を保温材で固めたものを作り、ペットボトルの底を開口して挿入し、キャップの部分で金属棒を固定して、温熱指圧器として使用する。
【発明の詳細な説明】
【技術分野】
【０００１】  本器具は、お湯を入れた容器のキャップの尖端を、身体の一部に押し当てる指圧効果と、お湯による温熱効果により、健康を向上させる器具である。  また、容器内の電熱器により一定温度に熱せられた金属棒を、キャップ上部に突き出して、体の一部に押し当てることによって、金属棒の温熱効果と指圧効果を併用出来る健康器具である。
【背景技術】
【０００２】  従来の指圧器具は、突起物による指圧効果を得る器具であったが、本器具は、ビン状の液体容器にお湯を入れて、容器のキャップ上部の平面に、球面状の突起を突けた部分を、体の一部に押し当てて、指圧と低温お灸的温熱効果の両面を得る温熱指圧器である。
【発明の開示】
【発明の効果】
【０００３】  指圧の効果に低温お灸的効果を加えた器具である。  肌に焼け跡が残らない低温のお灸用品は、高価で使い捨てであるが、本品の、指圧部分のキャップは安価であり、容器のビンもキャップもリサイクル品が使え、発熱源はビンの中のお湯であるから、器具は長く使えるし、熱源も殆ど費用が掛からないので、本器は指圧と低温お灸の二重の健康効果と、器具の購入費用や維持費用も少ないので、使う人には経済的にも効果が大きい。
【発明を実施するための最良の形態】
【０００４】  酒類、飲料水類の容器の頭部が、ネジ止め式の容器であれば、この容器にお湯を入れ本考案のキャップを着けて、キャップの尖端で指圧をすれば、低温お灸の効果も同時に得られる。  容器の外部は熱いから、タオル等を巻いて触熱を防ぐ必要がある。  お湯の入った容器のキャップの先端は熱いから、薄い布を肌に当てた上から、指圧する箇所に、キャップの先端を押しつける。  熱さの強弱の感覚は個人差があるから、肌に当てる布の厚さや、器具を押し当てる時間は、各人で調整する。
【課題を解決するための手段】
【０００５】  酒類や清涼飮料水のビンの口径ネジは、内容量によって大概共通しているから、廃品にするビンに、本器具のネジ式キャップを取り付ければ、指圧と温熱効果のある健康器具が、安価で手に入るし、容器のリサイクルにもなる。
【０００６】  キャップの形態は、ネジキャップと突起の感熱部分が一体になった成形品にする方式と、発熱する突起部分を袋状に成形した製品を、従来のネジ式キャップの上部平面部に明けた穴に入れる、二分割方式がある。
【発明が解決しようとする課題】
【０００７】  お湯をビン等の容器に入れて、キャップの上部にある発熱体の突起の先端で、指圧を行ない、指圧と同時に温熱効果を上げる本器具を、安価に市場に提供するために、リサイクル容器の利用と、容器のキャップの生産を大量に行なっている業者と、本器具のキャップの生産の連携が必要である。
【実施例】
【０００８】  温熱指圧器の容器にジャーのお湯を入れて、先端が球面の突起が着いたキャップで蓋をする。  お湯の入った容器は熱いから、容器をタオル等で巻いて使用する。  お湯が入ったキャップの先端は熱いから、指圧する箇所に布を当て、布の厚さで感知温度を調整して、そのまま指圧しながら自分の熱さの感覚で、温熱指圧器を肌から離す。  温熱の感覚は人によって違います。体の前面は自分で熱さの調整が出来ますが、手の届かないところは、温熱指圧器を操作している人に、熱さの信号を送って、温熱指圧器を肌から離すようにする。  お湯漏れによる、火傷に注意が特に必要です。
【発明の効果】
【０００９】  本発明により、火傷をしない程度のお灸の器具や材料より安い価格で、指圧と軽いお灸の効果が得られるとともに、廃品のリサイクルにもなります。  火傷をするぼどの熱さを我慢して、本格的お灸の効果に近づけたい人は、指圧時間を長くするか、同じ場所を繰り返し温熱接触または、温熱指圧をすれば、お灸の効果に近づきます。  ただし、肌に火傷の後が残る恐れがあります。
【図面の簡単な説明】
【００１０】
【図１】キャップ（３）と感熱体（２）を同体成形したキャップ（３）を着けた、温熱指圧器の上面図
【図２】同上の正面図
【図３】同上の中心垂直の断面図
【図４】キャップ（３）と感熱体（２）を同体成形した、キャップの立体図。
【図５】同上のキャップに入る、液漏れ防止のパッキン。
【図６】同上容器の立体図。
【図７】キャップ（３）と感熱体（２）を分離成形したキャップ部を、合体させた温熱指圧器の上面図。
【図８】同上の立体図。
【図９】同上の中心垂直の断面図。
【図１０】キャップと分離した、同上の感熱体
【図１１】同上の感熱体の下に入る、液漏れ防止パッキン。
【図１２】同上の感熱体が入る、穴の明いたキャップ。
【図１３】同上容器のビン口のネジ部の説明立体図。
【図１４】感熱棒を利用した、温熱指圧器の上面図。
【図１５】同上の立体図。
【図１６】同上の中心垂直の断面図。
【図１７】同上に入る感熱棒の立体図。
【図１８】同上の感熱棒を止めるナット。
【図１９】同上の感熱棒が通る、穴が開いているキャップ。
【図２０】同上の感熱棒のネジ下の鍔の上に乗る、液漏れ防止パッキン。
【図２１】電熱式温熱指圧器の上面図。
【図２２】同上の立体図。
【図２３】同上の中心垂直の断面図。
【図２４】同上のＡ〜Ｂの水平断面図。
【図２５】発熱体の定温管理センサーの立体図。
【図２６】発熱体の立体図。
【図２７】発熱体過熱防止ヒューズ。
【符号の説明】
【００１１】      １  温熱と指圧を身体に施す為の接点箇所。      ２  キャップと同体の発熱体。      ３  キャップ。      ４  容器外側。      ５  容器内部。      ６  液漏れ止めパッキン。      ７  容器ネジ部。      ８  キャップ穴開口部。      ９  キャップと分離された発熱体。    １０  発熱棒固定ナット。    １１  発熱棒。    １２  内蔵物入り口止め蓋。    １３  発熱体カバー。    １４  発熱体の定温管理センサー    １５  感熱棒。    １６  電線コード固定ゴム。    １７  １００Ｖ被服電線。    １８  内蔵物入り口穴。    １９  発熱体過熱防止温度ヒューズ。    ２０  １００Ｖ発熱体。    ２１  発熱体カバー取り付けネジ。    ２２  耐熱充填材を詰める所。    ２３  内蔵物入り口止め蓋の取り付けネジ。
【図１】
2005211638.tif 000003
【図２】
2005211638.tif 000004
【図３】
2005211638.tif 000005
【図４】
2005211638.tif 000006
【図５】
2005211638.tif 000007
【図６】
2005211638.tif 000008
【図７】
2005211638.tif 000009
【図８】
2005211638.tif 000010
【図９】
2005211638.tif 000011
【図１０】
2005211638.tif 000012
【図１１】
2005211638.tif 000013
【図１２】
2005211638.tif 000014
【図１３】
2005211638.tif 000015
【図１４】
2005211638.tif 000016
【図１５】
2005211638.tif 000017
【図１６】
2005211638.tif 000018
【図１７】
2005211638.tif 000019
【図１８】
2005211638.tif 000020
【図１９】
2005211638.tif 000021
【図２０】
2005211638.tif 000022
【図２１】
2005211638.tif 000023
【図２２】
2005211638.tif 000024
【図２３】
2005211638.tif 000025
【図２４】
2005211638.tif 000026
【図２５】
2005211638.tif 000027
【図２６】
2005211638.tif 000028
【図２７】
2005211638.tif 000029
【手続補正書】
【提出日】平成16年4月5日(2004.4.5)
【手続補正１】
【補正対象書類名】特許請求の範囲
【補正対象項目名】全文
【補正方法】変更
【補正の内容】
【特許請求の範囲】
【請求項１】
本器具の形状は、赤ちゃんの哺乳ビンに、吸口を付けた形状に似ています。    ネジ付き容器のキャップの平面部分を尖らせて、先端が球面で中空のキャップを作り、お湯を入れた容器をネジキャップで閉めると、キャップの先端もお湯の温度になる。  お湯の温度なった先端を指圧に利用したり、低温お灸の温熱効果に利用する。  お湯の変わりに冷水や砕氷を入れて、冷やすと気持ちの良い所に当てて、指圧と冷感効果を上げることも出来る。
【請求項２】
キャップの先端部分だけを作り、キャップの平面部分に丸穴を明けた中に、キャップの先端を入れて、漏水止めパッキンビンの口に当てて閉めると、〔請求項１〕と同様の利用効果が生まれる。
【請求項３】
上記のキャップ上部の突起の部分を、空洞のない金属の棒状にして、先端の突起と同体の棒をビンの底近くまで伸ばして、お湯の温度を突起の先端まで伝導させて、温熱指圧をする。
【請求項４】
ネジ付きの耐熱容器の中に保温材を入れて、その中に、キャップに固定した金属棒を入れてキャップの容器と固定させる。  金属棒を入れた容器を、お湯に侵すか煮沸して、温熱指圧を行なう。
【請求項５】
上記の金属棒の容器の内部に入る部分に、電気による発熱体と発熱体の温度を一定させるセンサーと、過熱防止ヒューズを取り付けて、その周囲を保温材で固めたものを作り、ペットボトルの底を開口して挿入し、キャップの部分で金属棒を固定して、温熱指圧器として使用する。
【請求項６】
お湯の入った容器の、ネジ止めされた金属キャップの先端を、お湯のお灸や指圧に使う場合、万一、キャップネジの締め方が悪いと、お湯が漏れて火傷の危険があるから、体に押し当てる側のキャップは、お湯漏れ防止の為に、耐熱接着剤で糊着固定して、なお、同キャップの開口部を、容器のクビレ部分に巻き締めて、火傷の防護策を強化した。 以上の理由から、容器に糊着したキャップの反対側に、お湯を出し入れ出来る、湯口とキャップを設けて、お湯漏れによる火傷を防止する、両口のキャップ付き容器の形体を追加した。
【手続補正２】
【補正対象書類名】明細書
【補正対象項目名】全文
【補正方法】変更
【補正の内容】
【発明の詳細な説明】
【技術分野】
【０００１】  本器具は、お湯を入れた容器のキャップの尖端を、身体の一部に押し当てる指圧効果と、お湯の温熱効果により、身体の健康を向上させる器具である。  また、容器内の電熱器により一定温度に熱せられた金属棒を、キャップ上部に突き出して身体の一部に押し当てる、金属棒の温熱効果と指圧効果を併用出来る健康器具である。
【背景技術】
【０００２】  従来の指圧器具は、突起物による指圧効果を得る器具であったが、本器具は、ビン状の液体容器にお湯を入れて、容器のキャップ上部の平面に、球面状の突起を突けた部分を、身体の一部に押し当てて、指圧と温熱効果をの両面を得る温熱指圧器具である。
【発明の開示】
【発明の効果】
【０００３】  指庄の効果に温熱効果を加えたものである。  容器は酒類、飲料水類の容器の不要になったものを、リサイクルして使える。  肌に傷跡の着かない低温のお灸用品は、高価で使い捨てであるが、本考案の、指圧部分のキャップは安価であり、発熱部はリサイクルビンの中のお湯であるから、器具は長く使えるし、温熱指圧には殆ど費用が掛からない利点がある。
【発明を実施するための最良の形態】
【０００４】  酒類、飲料水類の容器の頭部が、ネジ止め式の容器であれば、この容器にお湯を入れ本考案のキャップを着けて、キャップの尖端で指圧をすれば、温熱効果も同時に得られる。  容器の外部は熱いから、タオル等を巻いて触熱を防ぐ必要がある。  お湯の入った容器のキャップの先端は熱いから、薄い布を肌に当てた上から、指圧する箇所に、キャップの先端を押しつける。  熱さの強弱の感覚は個人差があるから、肌に当てる布の厚さや、器具を押し当てる時間は、各人で調整する。 容器内の液体の温度変化により、容器に掛かる圧力が変化して起きる、液漏れや、容器の凍結の危険を考慮して、容器に注入する液体量は、容器の内容量の８０％以内に止める目印線を、容器の外側に書き入れて、液体の注入量の制限をする、目安とする。
【課題を解決するための手段】
【０００５】  酒類や清涼飲料水のビンの口径ネジは、それぞれ共通しているから、廃品にするビンに、本器具のネジ式キャップを取り付ければ、指圧と温熱効果のある健康器具が、安価で手に入るし、容器のリサイクルにもなる。
【０００６】  肌に当たる感熱部分の製作は、従来のキャップと一体になった突起の成形品を使う方法と、従来のキャップの上部平面に穴を明けて、キャップの平面部と突出部を、薄い板で袋状に成形したものを、漏れ防止パッキンを付けて、キャップの内側に入れる方法と、感熱部分全部を棒状にして、容器のお湯の中に入れることで、肌に当たる部分を熱くする方法がある。
【発明が解决しようとする課題】
【０００７】  お湯をビン等の容器に入れて、お湯の温度が伝わってくる発熱体である、キャップの平面部に付けた突起で指圧を行ない、指圧と同時に温熱効果を上げる本器具を、安価に市場に提供するために、容器のリサイクル利用と、容器のキャップの生産を大量に行なっている業者と、生産の連携が必要である。
【実施例】
【０００８】  温熱指圧器の容器にジャーのお湯を入れて、先端が球面で突起が着いたキャップを填める。  お湯の入った容器は熱いから、容器をタオル等で巻いて使用する。  お湯が入ったキャップの先端は熱いから、指圧する箇所に布を当て、布の厚さで感知温度を調整して、そのまま指圧しながら自分の熱さの感覚で、温熱指圧器を肌から離す。  温熱の感覚は人によって違います。体の前面は自分で熱さの調整が出来ますが、手の届かないところは、温熱指圧器を操作している人に、熱さの信号を送って、温熱指圧器を肌から離すようにする。  お湯漏れによる、火傷に注意が特に必要です。
【発明の効果】
【０００９】  本発明により、火傷をしない程度のお灸の材料や器具より安い価格で、指圧と軽いお灸の効果が得られるとともに、廃品のリサイクルにもなります。  火傷をするほどの熱さを我慢して、本格的お灸の効果に近づけたい人は、指圧時間を長くするか、同じ場所を繰り返し温熱接触または、温熱指圧をすれば、お灸の効果に近づきます。
【図面の簡単な説明】
【００１０】
【図１】キャップ（３）と感熱体（２）を同体成形したキャップ（３）を着けた、温熱指圧器具の上面図
【図２】同上の正面図
【図３】同上の中心垂直の断面図
【図４】キャップ（３）と感熱体（２）を同体成形した、キャップの立体図。
【図５】同上のキャップに入る、液漏れ防止のパッキン。
【図６】同上容器の立体図。
【図７】キャップ（３）と感熱体（２）を分離成形したキャップ部を、合体させた温熱指圧器具の上面図。
【図８】同上の立体図。
【図９】同上の中心垂直の断面図。
【図１０】同上の感熱体
【図１１】同上の感熱体の下に入る、液漏れ防止パッキン。
【図１２】同上の感熱体が入る、穴の明いたキャップ。
【図１３】同上容器のビン口のネジ部の説明立体図。
【図１４】感熱棒を利用した、温熱指圧器の上面図。
【図１５】同上の立体図。
【図１６】同上の中心垂直の断面図。
【図１７】同上に入る感熱棒の立体図。
【図１８】同上の感熱棒を止めるナット。
【図１９】同上の感熱棒が通る、穴が開いているキャップ。
【図２０】同上の感熱棒の上に入る、液漏れ防止パッキン。
【図２１】電熱式温熱指圧器の上面図。
【図２２】同上の立体図。
【図２３】同上の中心垂直の断面図。
【図２４】同上のＡ〜Ｂの水平断面図。
【図２５】発熱体の定温管理センサーの立体図。
【図２６】発熱体の立体図。
【図２７】発熱体過熱防止ヒューズ。
【図２８】両口キャップ容器の上面図。
【図２９】両口キャップ容器の正面図。
【図３０】両口キャップ容器の下面図。
【図３１】両口キャップ容器の垂直断面図。
【図３２】両口キャップ容器下部の、お湯の出し入れ口のキャップの立体図。
【図３３】同上のキャップの、お湯漏れ防止の耐熱パッキンの立体図。
【図３４】両口キャップ容器の、温熱指圧に使用する側のキャップの立体図。
【符号の説明】
【００１１】      １  温熱と指圧を身体に施す為の接点箇所。      ２  キャップと同体の発熱体。      ３  キャップ。      ４  容器外側。      ５  容器内部。      ６  液漏れ止めパッキン。      ７  容器ネジ部。      ８  キャップ穴開口部。      ９  キャップと分離された発熱体。    １０  発熱棒固定ナット。    １１  発熱棒。    １２  内蔵物入り口止め蓋。    １３  発熱体カバー。    １４  発熱体の定温管理センサー    １５  感熱棒。    １６  電線コード固定ゴム。    １７  １００Ｖ電線服。    １８  内蔵物入り口穴。    １９  発熱体過熱防止温度ヒューズ。    ２０  １００Ｖ発熱体。    ２１  発熱体カバー取り付けネジ。    ２２  耐熱充填材。    ２３  内蔵物入り口止め蓋の取り付けネジ。 ２４ 両口キャップ容器下部の、お湯の出し入れ口のキャップ。 ２５ 同上のキャップの、お湯漏れ防止の耐熱パッキン。    ２６  本器具の、温熱のお灸や指圧に使う側のキャップと容器を、耐熱接着剤で糊着後、キャップの開口部を容器のクビレに折り込み圧着させて、キャップの弛みを防ぐ、折り込み部分。 ２７  容器にお湯を注入する、注入量の目安線。
【手続補正３】
【補正対象書類名】図面
【補正対象項目名】全図
【補正方法】変更
【補正の内容】
【図１】
2005211638.tif 000030
【図２】
2005211638.tif 000031
【図３】
2005211638.tif 000032
【図４】
2005211638.tif 000033
【図５】
2005211638.tif 000034
【図６】
2005211638.tif 000035
【図７】
2005211638.tif 000036
【図８】
2005211638.tif 000037
【図９】
2005211638.tif 000038
【図１０】
2005211638.tif 000039
【図１１】
2005211638.tif 000040
【図１２】
2005211638.tif 000041
【図１３】
2005211638.tif 000042
【図１４】
2005211638.tif 000043
【図１５】
2005211638.tif 000044
【図１６】
2005211638.tif 000045
【図１７】
2005211638.tif 000046
【図１８】
2005211638.tif 000047
【図１９】
2005211638.tif 000048
【図２０】
2005211638.tif 000049
【図２１】
2005211638.tif 000050
【図２２】
2005211638.tif 000051
【図２３】
2005211638.tif 000052
【図２４】
2005211638.tif 000053
【図２５】
2005211638.tif 000054
【図２６】
2005211638.tif 000055
【図２７】
2005211638.tif 000056
【図２８】
2005211638.tif 000057
【図２９】
2005211638.tif 000058
【図３０】
2005211638.tif 000059
【図３１】
2005211638.tif 000060
【図３２】
2005211638.tif 000061
【図３３】
2005211638.tif 000062
【図３４】
2005211638.tif 000063
【手続補正書】
【提出日】平成16年8月5日(2004.8.5)
【手続補正１】
【補正対象書類名】特許請求の範囲
【補正対象項目名】全文
【補正方法】変更
【補正の内容】
【特許請求の範囲】
【請求項１】
本器具の形状は、赤ちゃんの哺乳ビンに、吸口を付けた形状に似ています。    ネジ付き容器のキャップの平面部分を尖らせて、先端が球面で中空のキャップを作り、お湯を入れた容器をネジキャップで閉めると、キャップの先端もお湯の温度になる。  お湯の温度なった先端を指圧に利用したり、低温お灸の温熱効果に利用する。  お湯の変わりに冷水や砕氷を入れて、冷やすと気持ちの良い所に当てて、指圧と冷感効果を上げることも出来る。
【請求項２】
キャップの先端部分だけを作り、キャップの平面部分に丸穴を明けた中に、キャップの先端を入れて、漏水止めパッキンをビンの口に当てて閉めると、「請求項１」と同様の利用効果が生まれる。
【請求項３】
上記のキャップ上部の突起の部分を、空洞のない金属の棒状にして、先端の突起と同体の棒をビンの底近くまで伸ばして、お湯の温度を突起の先端まで伝導させて、温熱指圧をする。
【請求項４】
ネジ付きの耐熱容器の中に保温材を入れて、その中に、キャップに固定した金属棒を入れてキャップの容器と固定させる。  金属棒を入れた容器を、お湯に侵すか煮沸して、温熱指圧を行なう。
【請求項５】
上記の金属棒の容器の内部に入る部分に、電気による発熱体と発熱体の温度を一定させるセンサーと、過熱防止ヒューズを取り付けて、その周囲を保温材で固めたものを作り、ペットボトルの底を開口して挿入し、キャップの部分で金属棒を固定して、温熱指圧器として使用する。
【請求項６】
お湯の入った容器の、ネジ止めされた金属キャップの先端を、お湯のお灸や指圧に使う為に体に押し当てた場合、万一、キャップネジが弛んで、お湯が漏れたら大変であるから、体に押し当てる側のキャップは、お湯漏れ防止の為に、耐熱接着剤で糊着して、お湯漏れ防止を完璧にする。  糊着したキャップの反対側に、容器にお湯を入れる湯口キャップを設けて、お湯の出し入れをする。
【請求項７】
お灸器具の発熱部の熱さを、人体に抵抗なく伝える手段として、発熱部の温度をを低温に押え、器具の発熱部分の熱さを、肌に間接的に伝わるように、肌に布を当てた上から温熱指圧を行うか、発熱部の先端に、布や皮革やプラスチック等で作った、袋状のキャップを被せて、温熱指圧を行えるようにした。
【手続補正２】
【補正対象書類名】明細書
【補正対象項目名】全文
【補正方法】変更
【補正の内容】
【発明の詳細な説明】
【技術の分野】
【０００１】  本器具は、お湯を入れた容器のキャップの尖端を、身体の一部に押し当てる指圧効果と、お湯の温熱効果により、身体の健康を向上させる器具である。  また、容器内の電熱器により一定温度に熱せられた金属棒を、キャップ上部に突き出して身体の一部に押し当てる、金属棒の温熱効果と指圧効果を併用出来る健康器具である。
【背景技術】
【０００２】  従来の指圧器具は、突起物による指圧効果を得る器具であったが、本器具は、ビン状の液体容器にお湯を入れて、容器のキャップ上部の平面に、球面状の突起を突けた部分を、身体の一部に押し当てて、指圧と温熱効果をの両面を得る温熱指圧器具である。
【発明の開示】
【発明の効果】
【０００３】  指圧の効果に温熱効果を加えたものである。  容器は酒類、飲料水類の容器の不要になったものを、リサイクルして使える。  肌に傷跡の着かない低温のお灸用品は、高価で使い捨てであるが、本考案の、指圧部分のキャップは安価であり、発熱部はリサイクルビンの中のお湯であるから、器具は長く使えるし、温熱指圧には殆ど費用が掛からない利点がある。
【発明を実施するための最良の形態】
【０００４】  酒類、飲料水類の容器の頭部が、ネジ止め式の容器であれば、この容器にお湯を入れ本考案のキャップを着けて、キャップの尖端で指圧をすれば、温熱効果も同時に得られる。  容器の外部は熱いから、タオル等を巻いて触熱を防ぐ必要がある。発熱部の先端は熱いから、指圧をする箇所の肌に、布を当てた上から温熱指圧をするか、発熱部の先端に、布や皮革で作った袋状のキャップを着けて、温熱指圧をする。  熱さの強弱の感覚は個人差があるから、肌に当てる布の厚さや、器具を押し当てる時間は、各人で調整する。
【課題を解決するための手段】
【０００５】  酒類や清涼飲料水のビンの口径ネジは、それぞれ共通しているから、廃品にするビンに、本器具のネジ式キャップを取り付ければ、指圧と温熱効果のある健康器具が、安価で手に入るし、容器のリサイクルにもなる。
【０００６】  肌に当たる感熱部分の製作は、従来のキャップと一体になった突起の成形品を使う方法と、従来のキャップの上部平面に穴を明けて、キャップの平面部と突出部を、薄い板で袋状に成形したものを、漏れ防止パッキンを付けて、キャップの内側に入れる方法と、感熱部分全部を棒状にして、容器のお湯の中に入れることで、肌に当たる部分を熱くする方法がある。
【発明が解決しようとする課題】
【０００７】  お湯をビン等の容器に入れて、お湯の温度が伝わってくる発熱体である、キャップの平面部に付けた突起で指圧を行ない、指圧と同時に温熱効果を上げる本器具を、安価に市場に提供するために、容器のリサイクル利用と、容器のキャップの生産を大量に行なっている業者と、生産の連携が必要である。
【実施例】
【０００８】  温熱指圧器の容器にジャーのお湯を入れて、先端が球面で突起が着いたキャップを填める。  発熱した容器は熱いから、容器をタオル等で巻いて使用する。発熱部の先端は熱いから、指圧する箇所に布を当てた上から温熱指圧を行なう。感知する温熱の感覚は布の厚さで感知温度を調整して、そのまま指圧しながら自分の熱さの感覚で、温熱指圧器を肌から離す。発熱部の先端に、布や皮革で作った袋状のキャップを被せて使用すれば、前項より扱いが簡便である。  温熱の感覚は人によって違います。体の前面は自分で熱さの調整が出来ますが、手の届かないところは、温熱指圧器を操作している人に、熱さの信号を送って、温熱指圧器を肌から離すようにする。  お湯漏れによる、火傷に注意が特に必要です。
【発明の効果】
【０００９】  本発明により、火傷をしない程度のお灸の材料や器具より安い価格で、指圧と軽いお灸の効果が得られるとともに、廃品のリサイクルにもなります。  火傷をするぼどの熱さを我慢して、本格的お灸の効果に近づけたい人は、指圧時間を長くするか、同じ場所を繰り返し温熱接触または、温熱指圧をすれば、お灸の効果に近づきます。
【図面の簡単な説明】
【００１０】
【図１】キャップ（３）と感熱体（２）を同体成形したキャップ（３）を着けた、温熱指圧器具の上面図
【図２】同上の正面図
【図３】同上の中心垂直の断面図
【図４】キャップ（３）と感熱体（２）を同体成形した、キャップの立体図。
【図５】同上のキャップに入る、液漏れ防止のパッキン。
【図６】同上容器の立体図。
【図７】キャップ（３）と感熱体（２）を分離成形したキャップ部を、合体させた温熱指圧器具の上面図。
【図８】同上の立体図。
【図９】同上の中心垂直の断面図。
【図１０】同上の感熱体
【図１１】同上の感熱体の下に入る、液漏れ防止パッキン。
【図１２】同上の感熱体が入る、穴の明いたキャップ。
【図１３】同上容器のビン口のネジ部の説明立体図。
【図１４】感熱棒を利用した、温熱指圧器の上面図。
【図１５】同上の立体図。
【図１６】同上の中心垂直の断面図。
【図１７】同上に入る感熱棒の立体図。
【図１８】同上の感熱棒を止めるナット。
【図１９】同上の感熱棒が通る、穴が開いているキャップ。
【図２０】同上の感熱棒の上に入る、液漏れ防止パッキン。
【図２１】電熱式温熱指圧器の上面図。
【図２２】同上の立体図。
【図２３】同上の中心垂直の断面図。
【図２４】同上のＡ〜Ｂの水平断面図。
【図２５】発熱体の定温管理センサーの立体図。
【図２６】発熱体の立体図。
【図２７】発熱体過熱防止ヒューズ。
【図２８】両口キャップ容器の上面図。
【図２９】両口キャップ容器の正面図。
【図３０】両口キャップ容器の下面図。
【図３１】両口キャップ容器の垂直断面図。
【図３２】両口キャップ容器の湯口キャップの立体図。
【図３３】両口キャップ容器の湯口キャップのパッキンの立体図。
【図３４】両口キャップ容器の指圧側キャップの、ネジの戻り止め用絞り締め部分。
【図３５】「図１」符号１に、符号２８を被覆した上面図。
【図３６】「図２」符号２に、符号２８を被覆した正面図。
【図３７】符号１に被覆させる、布や皮革やプラスチックで作った袋状の防熱カバーの立体図。
【図３８】「図３６」垂直断面図。
【図３９】「図２３」符号１に、符号２８を被覆した垂直断面図。
【符号の説明】
【００１１】      １  温熱と指圧を身体に施す為の接点箇所。      ２  キャップと同体の発熱体。      ３  キャップ。      ４  容器外側。      ５  容器内部。      ６  液漏れ止めパッキン。      ７  容器ネジ部。      ８  キャップ穴開口部。      ９  キャップと分離された発熱体。    １０  発熱棒固定ナット。    １１  発熱棒。    １２  内蔵物入り口止め蓋。    １３  発熱体カバー。    １４  発熱体の定温管理センサー    １５  感熱棒。    １６  電線コード固定ゴム。    １７  １００Ｖ電線被覆。    １８  内蔵物入り口穴。    １９  発熱体過熱防止温度ヒューズ。    ２０  １００Ｖ発熱体。    ２１  発熱体カバー取り付けネジ。    ２２  耐熱充填材。    ２３  内蔵物入り口止め蓋の取り付けネジ。    ２４  両口キャップ容器の湯口部のキャップ。    ２５  両口キャップ容器の湯口部のパッキン。    ２６  指圧側キャップが緩まないための、巻締め部分。    ２７  容器にお湯を注入する目安線。２８  人体に温熱が軟らかく徐々に伝えるために、布や皮革で作られた、袋状のキャップ。
【手続補正４】
【補正対象書類名】図面
【補正対象項目名】全図
【補正方法】変更
【補正の内容】
【書類名】図面    【図１】2005211638.tif 000064
【図２】2005211638.tif 000065
【図３】2005211638.tif 000066
【図４】2005211638.tif 000067
【図５】2005211638.tif 000068
【図６】2005211638.tif 000069
【図７】2005211638.tif 000070
【図８】2005211638.tif 000071
【図９】2005211638.tif 000072
【図１０】2005211638.tif 000073
【図１１】2005211638.tif 000074
【図１２】2005211638.tif 000075
【図１３】2005211638.tif 000076
【図１４】2005211638.tif 000077
【図１５】2005211638.tif 000078
【図１６】2005211638.tif 000079
【図１７】2005211638.tif 000080
【図１８】2005211638.tif 000081
【図１９】2005211638.tif 000082
【図２０】2005211638.tif 000083
【図２１】2005211638.tif 000084
【図２２】2005211638.tif 000085
【図２３】2005211638.tif 000086
【図２４】2005211638.tif 000087
【図２５】2005211638.tif 000088
【図２６】2005211638.tif 000089
【図２７】2005211638.tif 000090
【図２８】2005211638.tif 000091
【図２９】2005211638.tif 000092
【図３０】2005211638.tif 000093
【図３１】2005211638.tif 000094
【図３２】2005211638.tif 000095
【図３３】2005211638.tif 000096
【図３４】2005211638.tif 000097
【図３５】2005211638.tif 000098
【図３６】2005211638.tif 000099
【図３７】2005211638.tif 000100
【図３８】2005211638.tif 000101
【図３９】2005211638.tif 000102
【手続補正書】
【提出日】平成16年9月7日(2004.9.7)
【手続補正１】
【補正対象書類名】特許請求の範囲
【補正対象項目名】全文
【補正方法】変更
【補正の内容】
【特許請求の範囲】
【請求項１】
お湯を熱源として、温熱指圧を行なう手段として、タオルを巻いた液体容器にお湯を入れて、赤ちゃんの哺乳ビンの吸口の形をした金属製の感熱部「図４符号３」を付けて、発熱したキャップの先を、布か皮革かプラスチックで覆い、この先端を人体に当てて、温熱指圧を行なう。
【請求項２】
電気を熱源として、温熱指圧を行なう手段として、内蔵した電熱器で発熱した指圧棒「図１７符号１８，１９，２０」「図２４」の先端に、布か皮革かプラスチックで覆うことは、前項と同じであるが、電気による発熱温度はお湯より高いから、発熱部の高温が指圧棒の先端に届くまでに、温度を下げる必要がある。  よって、指圧棒の先端と熱源の間に、熱の伝導を妨げる耐熱プラスチックを挟むことによって、指圧棒の先端の温度を下げる方法を取った。  耐熱プラスチック棒や、金属棒の容量、配置順、組み合わせ順序を変えることによって、指圧棒の先端に伝わる発熱温度を調整をすることが出来る。
【手続補正２】
【補正対象書類名】明細書
【補正対象項目名】全文
【補正方法】変更
【補正の内容】
【発明の詳細な説明】
【技術の分野】
【０００１】  本器具は、お湯を入れた容器の、金属キャップの球面状の突起の尖端や、電熱で一定温度に熱せられた、棒状で先端が球面を持つ部分を、身体の一部に押し当てることにより、温熱指圧を行なう器具である。  指圧をする器具の先端は、お湯や電熱で熱せられているので、人肌に直接当てるには温度が高過ぎて、無理であるから、布や皮革やプラスチック等で作ったキャップを被せて、接触温度を調整するようにしてある。  人体には高温の器具の先端を、上記のように被覆したことによって、人肌に器具を押し当てた場合、当初は強い温感を感じないが、秒感覚で器具内部の高温が、徐々に防熱被覆を通して肌に伝わり、やがて、肌が我慢が出来ない程熱くなるので、本人の我慢度合いで、器具を体から離す。  お湯による指圧でも、肌が真赤に焼けるほどの、熱の伝導の後が残ります。
【背景技術】
【０００２】  人肌をモグサで直に焼かない、間接的なお灸の器具の中では、低温お灸と指圧を同時に行なう器具を私は知りません。  私が本器具を考案した発端と理由は次の通りです。  私はここ２年位、隔週にお灸をしていますが、お灸を旅先でも出来ないかと思って、ドリンク剤の空きビンを利用して、キャップの平面部に丸穴を明けて、先端が球面の真鍮の棒を取り付け、ビンにお湯を入れてキャップして、お灸をする箇所に布を当てた上から指圧をしたら、熱さと指圧でお灸に近い効果があったので、使い捨てた空きビンとキャップを利用した指圧器具を作れば、資源の再利用と安価な温熱指圧器具が作れて、世間に役に立つと考えました。  また、廃品のペットボトルの中に、電気による２００度の発熱器を装着をし、１００度に温度を設定する温度センサーを使い、指圧棒に伝わる発熱を１００度に押えて、指圧実験をした結果、お湯の熱利用と同じ結果を得ました。  しかし、温度設定センサーの価格は、器具本体より高価に付くので、温度設定センサーを使わない方法を検討した結果、市場で１６０度の発熱機器で低価格の大量流通品を発見し、１６０度に発熱している部分に接触している金属の指圧棒を三分割して、根元は金属、中間は実験用に耐熱１５０度のプラスチック、指圧棒の先端は金属にして指圧実験をしたら、発熱部分の１６０度の温度が、指圧棒の先端に伝わる間に、１００度位の温度に下がったので、高価なセンサーは不要になりました。  家庭内で１６０度の熱を発生する器具は、アイロンに近い危険が感じるので、発熱部の放熱、接触部の被覆、長時間使用の禁止、等の対応が必要と思われます。  よって、１６０度の発熱装置の器具を使用する場合は、アイロンのように長時間の連続使用をしないようにするか、時間切れタイマーの設置が望ましいです。
【発明の開示】
【発明の効果】
【０００３】  従来より家庭で使われている間接のお灸器具より、器具代も消耗費用も安く上がり、お灸も指圧も同時に行なえる長所があります。  お湯による温熱指圧の容器は、不要になった容器をリサイクルして使えるので、資源節約の効果があります。
【発明を実施するための最良の形態】
【０００４】  お湯による指圧に際しては、お湯漏れや、ビンの落下破損、凍結破損等の危険に注意が必要です。  万一、キャップのネジ止めが緩むと火傷の危険がありますから、容器の両側にキャップが付いた器具「図９」を使用する方が安全度は高いです。  お湯を使う器具の安全をより強く求める場合は、器具をビニール袋に入れて使用すれば、万一のお湯漏れや破損の危険が防げます。  お湯の入った容器も、電熱使用の容器も外装は熱いから、腕に付けるサポーターかタオルを器具に巻いて、器具を使用する必要があります。
【課題を解決するための手段】
【０００５】  指圧をする発熱棒の先端部や発熱部が、体に接触すると熱いから、防熱被覆「図１７符号１０」が必要です。  電熱による発熱部には、火傷や火災を防ぐために、器具の温度が定温より上昇したら、電流が遮断される温度ヒューズの設置が必要です。  温熱指圧に当たり、指圧棒が最初に肌に触れる時の熱さが、強すぎると感じたら、被覆された指圧部の先端に、薄い布を重ねることによって、接触温度を下げることが出来ます、  １６０度の電熱器具を利用する場合は、器具に取手を付けて使用する必要があります。  発熱部の熱が外部に伝わることを防ぐために、発熱部と外装の内側が接触する部分を、出来るだけ少なくして、発熱部の熱が外装に伝わることを、出来るだけ避けるようにする必要があります。
【発明が解決しようとする課題】
【０００６】  器具の発熱部の温度は１００度位で足りるりで、電熱器具の製造メーカーの数社に電話で問い合わせたら、『発熱部が１００度位に発熱する電熱器は製造は出来ない。その場合は、２００度の電熱器具を使い、発熱を１００度に調整する温度管理センサーを併設する必要がある』と、返事がありました。  この１００度の温度を保つための、温度調整器の価格は高くて、全器具の原価が二倍以上になるから、原価的にこのセンサーは使いたくない。  よって、発熱部温度を１６０度のままで、指圧棒の先端に伝わる温度を下げるため、発熱部と指圧棒の先端の間に、量産用耐熱温度２５０度のプラスチックを挟んで、指圧棒の先端の温度を下げる処置をすれば良い。  分割されている指圧棒を組み立てるときは、耐熱接着剤を使用して、指圧棒の分断を防ぐ必要があります。
【実施例】
【０００７】  取手の無い器具を使用する場合は、器具の手で掴む部分に、腕に付けるサポーターかタオルを巻いて、器具を使用するが良い。
【実施例】
【０００８】  肌に伝わる器具の温度の時間加減は、人それぞれに選びます。  肌に火脹れが出来る、モグサのお灸に近い熱を好む人は、発熱した器具を肌に押し当てる時間を長くすれば、肌に赤い焼け跡が残る程になりますから、器具の接触時間を長くすれば良いです。
【実施例】
【０００９】  指圧棒は分離交換ができるから、指圧棒の先端に伝わる温度が異なる指圧棒を、数種類用意して使い分ける方法が取れます。
【発明の効果】
【００１０】  本器具は、指圧と温灸の両用の効果を求められます。  本器具により、従来の火傷をしない程度のお灸をする器具や費用より、安価で長期使用が可能であり、お湯を使った器具では、廃品のリサイクルになります。  火傷をするぼどの熱さを我慢して、本格的お灸の効果に近づけたい人は、指圧時間を長くするか、同じ場所を何度も繰り返し温熱指圧をすれば、モグサのお灸の熱効果に近づきます。
【図面の簡単な説明】
【００１１】
【図１】お湯を使う温熱指圧器具の上面図。
【図２】同上の正面図
【図３】同上の器具の先端に被せる、防熱キャップ。
【図４】お湯を使う温熱指圧器具の垂直断面図。
【図５】お湯の熱で指圧をする部分の立体図。
【図６】「図５」が入る穴が明いた、お湯を入れる容器のキャップの立体図。
【図７】「図５」の下に入れて、お湯漏れを防ぐパッキンの立体図。
【図８】お湯を入れる容器の立体図
【図９】肌へのお湯漏れの危険を避けるために、指圧を行なう側のキャップは糊着ネジ止めをして、お湯を入れる口を逆側に設けた器具の断面図。
【図１０】電熱を利用した、温熱指圧器具の本体に、防熱被覆をした立体図。
【図１１】温熱指圧器具の本体の指圧棒の先端に、防熱キャップのみを付けた上面図。
【図１２】同上の防熱キャップを取り外し、９０度転回した器具本体の上面図。
【図１３】「図１１」の正面図。
【図１４】「図１２」の正面図。
【図１５】本体に防熱キャップと防熱被覆を施した、温熱指圧器具の下面図。
【図１６】「図１５」を９０度転回した下面図。
【図１７】「図１５」の垂直断面図。
【図１８】「図１６」の垂直断面図。
【図１９】温熱指圧器具本体に、別作りの取手を付けた正面図と、取手の一部の断面の説明。
【図２０】温熱指圧器具の本体容器と、取手を一体成型した容器の正面図。
【図２１】同上の下面図。
【図２２】指圧棒の先端に被せる防熱キャップの立体図。
【図２３】温熱指圧器具の発熱部と、指圧棒の先端を同時に覆う、防熱被覆の立体図。
【図２４】三体が合体して構成している指圧棒の立体図。
【図２５】三体化している指圧棒を、分離して説明する為の区分断面図
【図２６】一本化されている指圧棒の立体図。
【図２７】二体が合体して構成している指圧棒の立体図。
【図２８】二体化している指圧棒を、分離して説明する為の区分断面図。
【図２９】電熱器が入る容器に、電熱器が入った立体図。
【図３０】「図２９」の断面図。
【図３１】発熱線をコイル状に巻きつけた容器に、温度センサーを差し込んだ状態の立体図。
【図３２】発熱温度を一定に保つ温度センサーの立体図。
【図３３】温度ヒューズと温度ヒューズ取り付け台の立体図。
【符号の説明】
【００１２】      １  温熱と指圧を身体に施す為の指圧の接点箇所。      ２  指圧の接点箇所の温度を和らげる為に、布や皮革やプラスチック等で作られた防熱キャップ。      ３  お湯による温熱指圧の際に、指圧と温熱を人体に伝える感熱部。      ４  お湯を入れる容器のキャップ。      ５  お湯を入れる容器。      ６  お湯を入れる量の限界点を示す線。      ７  お湯を入れる容器の内部。      ８  お湯漏れを防ぐパッキン。      ９  符号２の防熱キャップを止める、耐熱ゴムキャップ。紐でも良い。    １０  器具の発熱を軟らかく受け止める為に、布や皮革やプラスチック等で作られた防熱カバー。    １１  同上のカバーを止める紐を通す穴の部分。    １２  同上の折り返し部分。    １３  二分割されている容器を合わた部分。    １４  同上を合わせて、ネジ止めをするナット。    １５  同上に対するビス。    １６  電線コード。    １７  容器の発熱部の外周に突起を設け、器具の使用中に器具を一時置くときに、発熱部が直に物に触れないようにする為の突起部分。    同時に、符号１０の防熱カバーの紐を、縛り止めに使う。    １８  三分割されている指圧棒の先端の部分。    １９  三分割されている指圧棒の中間の部分。    ２０  三分割されている指圧棒の根元部分で、発熱部にネジ込む為のネジが切られているおり、中間には防熱キャップを止めるクビレ溝がある。    《１８、１９、２０》は、金属と耐熱プラスチックの二種類を使用して、種類と長短の組合せで、発熱部の熱が、指圧棒の先端に伝達される温度を、調整することが出来る。    ２１  電熱器が入る容器。    ２２  電熱線を巻く容器。    ２３  発熱コイル線。    ２４  符号１０の防熱カバーを、本体に縛って止める紐を通す穴。    ２５  発熱を一定温度に保つための温度センサー。    ２６  器具本体に別付けする、取手を取り付けるネジ穴。    ２７  電気配線の説明線。    ２８  温度ヒューズの取り付け台。    ２９  温度ヒューズの取り付け台を止めるビス。    ３０  温度ヒューズ。    ３１  分割された指圧棒部分を集合させて止めるビス。    ３２  相対する外装容器を合わせて止めるビス穴。    ３３  同上の容器の位置を合わせるための突起と穴。    ３４  器具本体に別付けした取手。    ３５  指圧棒の一体物。求める発熱温度の度合いによって、材質、長短を決める。    ３６  指圧棒のネジ部を、発熱容器にネジ込むネジ穴。    ３７  温度ヒューズを取り付けるビス穴。
【手続補正４】
【補正対象書類名】図面
【補正対象項目名】全図
【補正方法】変更
【補正の内容】
【書類名】  図面2005211638.tif 000103
2005211638.tif 000104
2005211638.tif 000105
2005211638.tif 000106
2005211638.tif 000107
2005211638.tif 000108
2005211638.tif 000109
2005211638.tif 000110
2005211638.tif 000111
2005211638.tif 000112